(57)【要約】【課題】本発明は、フラットケーブルの耐久性を上げることができ、断線が生じる可能性を抑え、断線が生じても信号伝送が途絶えることがなく、警告することができるケーブル断線検出装置とカメラ装置、及び電子機器を提供することを目的とする。【解決手段】本本発明のケーブル断線検出装置は、配線が複数本配列され、側端縁のエッジ２８ｄに隣接して配列された縁沿いの第１及び又は第２の配線を断線検知線２８ｅとすると共にこれ以外の配線を信号線として、中継基板とＣＰＵ基板との間を接続するフラットケーブル２８と、断線検知線２８ｅにプルアップ電圧を印加するプルアップ電源と、断線検知線２８ｅが断線したとき信号線に対して警告を行う警告手段と、第１及び又は第２の基板に実装され、プルアップ電圧が入力信号として検知されたとき警告手段を動作させる中央制御部２０と、を備えた構成とする。【選択図】図９
2007281575.tif 000002
【特許請求の範囲】
【請求項１】
配線が複数本配列され、両側端縁に隣接して配列された縁沿いの第１及び第２の配線の少なくとも一方を断線検知線とすると共にこれ以外の配線を信号線として、第１の基板と第２の基板との間を接続するフラットケーブルと、前記断線検知線にプルアップ電圧を印加するプルアップ電源と、前記断線検知線が断線したとき前記信号線に対する断線の警告を発することができる警告手段と、前記基板の少なくともいずれかに実装され、前記プルアップ電圧が入力信号として検知されたとき前記警告手段を動作させる制御部と、を備えたことを特徴とするケーブル断線検出装置。
【請求項２】
前記フラットケーブルを中継して保持するために、収容長さに遊びを持たせて前記フラットケーブルを収容するケーブルホルダが設けられたことを特徴とする請求項１記載のケーブル断線検出装置。
【請求項３】
前記警告手段が、前記第１及び第２の配線が非断線時にその旨を報知する第１の報知色を発光する第１の発光手段と、前記第１及び第２の配線が双方断線したときに第２の報知色を発光する第２の発光手段とを備え、前記第１又は第２の断線検知線が断線したときは、前記第１及び第２の発光手段の発光又は未発光によって第３の報知色を表示することを特徴とする請求項１または２記載のケーブル断線検出装置。
【請求項４】
前記第２の基板と第３の基板との間を接続する別のフラットケーブルが設けられると共に、該別のフラットケーブルにも断線検知線と信号線が設けられ、前記別のフラットケーブルが前記第２の基板を介して前記フラットケーブルに接続されたことを特徴とする請求項１〜３のいずれかに記載されたケーブル断線検出装置。
【請求項５】
撮像素子を実装した第１の基板が設けられた可動部と、第２の基板を搭載し前記可動部を回動自在に支持する本体部と、を備えたカメラ装置であって、前記第１の基板と前記第２の基板との間をフラットケーブルで接続し、前記フラットケーブルに前記断線検知線と前記信号線が設けられ、前記フラットケーブルの断線を検出するために請求項１〜４のいずれかに記載されたケーブル断線検出装置が搭載されたことを特徴とするカメラ装置。
【請求項６】
前記可動部が、前記第１の基板を搭載してチルト方向に回動するチルトユニットと、中継基板を搭載して前記チルトユニットをパン方向に回動自在に支持するパンユニットと、から構成され、
前記第１の基板と前記中継基板の間が第１のフラットケーブルで接続されると共に、前記中継基板と前記第２の基板の間が第２のフラットケーブルで接続され、前記第１及び第２のフラットケーブルにはそれぞれ断線検知線と信号線が設けられてそれぞれ接続され、第１及び第２のフラットケーブルの断線を検出するために請求項１〜３のいずれかに記載のケーブル断線検出装置が搭載されたことを特徴とするカメラ装置。
【請求項７】
第１の基板が設けられた可動部と、第２の基板を搭載し前記可動部を回動自在に支持する本体部と、を備えた電子機器であって、
前記第１の基板と前記第２の基板との間をフラットケーブルで接続し、前記フラットケーブルに前記断線検知線と前記信号線が設けられ、前記フラットケーブルの断線を検出するために請求項１〜４のいずれかに記載されたケーブル断線検出装置が搭載されたことを特徴とする電子機器。
【発明の詳細な説明】
【技術分野】
【０００１】
本発明は、フラットケーブルの耐久性を上げることができ、断線が生じる可能性を抑え、断線が生じても信号の伝送が遮断されることがなく、警告を発することができるケーブル断線検出装置とカメラ装置、及び電子機器に関する。
【背景技術】
【０００２】
最近、ＩＰネットワークを介してアクセスすると、画像の配信を行うネットワークカメラが普及してきている。このネットワークカメラは、カメラ部の撮像方向をパン方向、チルト方向に変更でき、このカメラ部を支えるネットワークカメラ本体は取り付け箇所に固定されたり、据え置きされたりして使用される。
【０００３】
このため、ネットワークカメラの本体側にＣＰＵ基板が設けられ、カメラ基板を搭載したカメラ部をパン、チルトの２軸周りに回転させる必要があり、両基板はフレキシブルフラットケーブル（Ｆｌｅｘｉｂｌｅ  Ｆｌａｔ  Ｃａｂｌｅ、以下ＦＦＣ）やフレキシブルプリント基板（Ｆｌｅｘｉｂｌｅ  Ｐｒｉｎｔ  Ｃｉｒｃｕｉｔ、以下ＦＰＣ）などの可撓性のケーブルによって接続され、カメラ部の動きを吸収できるようになっている。これらの可撓性のケーブルは十数本〜四十本程度の信号線が並列して配列され、ＣＰＵ基板やカメラ基板、中継基板の各インターフェースに接続される。なお、ＦＦＣやＦＰＣに代表される薄い平坦な可撓性のケーブルを総称して、以下、フラットケーブルという。
【０００４】
しかし、こうした可動部を備えたネットワークカメラは繰り返しレンズの向きを変えられ、ケーブルには引っ張りと曲げが繰り返しかかるため、金属層等がプリントされた信号線に負担がかかり断線する可能性があった。なお、このようなフラットケーブルの断線はネットワークカメラに限られない。可動部分を含む装置であれば同様の現象が生じる。カメラ装置でいえば、カメラ一体型ＶＴＲやデジタルカメラ、録画式の監視カメラも可動部を備えており、同様である。
【０００５】
そこで、こうした可動部を備えた機器の伝送路の断線監視装置として、伝送信号に直流成分を重畳させてこれを断線時の判定基準とすることにより、断線しているかどうかを判断する断線監視装置が提案された（特許文献１）。しかし、この（特許文献１）の断線監視装置は断線したか否かは判定できるが、異常を判断した時点では既に断線が生じており、この時点ではカメラは動作できないのでカメラの機能を果たさないし、もとより予防することはできなかった。
【０００６】
これに対し、断線時にカメラ側の比較制御回路で電圧降下を検出し、電圧降下を検出した場合にはカメラ制御回路に制御信号を送り、カメラ制御回路はその信号を受けて電源を内部電源に切り換え、このとき監視カメラシステムを統括するコントロール装置からの制御信号がなければケーブル断線とみなし、制御信号があれば制御回路への電源供給方法を通常の状態に戻す監視カメラシステムが提案された（特許文献２）。
【０００７】
さらに、ＦＰＣの保持構造として、回転部を有する電子機器において、回転部の所定の回動量を確保することが可能になるＦＰＣ止め構造が提案されている（特許文献３）。これは、ＦＰＣに設けられた抜け止め用突起を、ＦＰＣの長手方向の動きに対して遊びがある状態で開口部に挿通させ、抜け止め用突起の動きは開口部の幅内に制限され、コネクタを回路基板のコネクタに接続する際には、抜け止め用突起が開口部の幅だけ引き出されて接続するものである。
【特許文献１】特開平２−２９６４３２号公報
【特許文献２】特開平７−２４５７５６号公報
【特許文献３】特開２００４−４０３３７号公報
【発明の開示】
【発明が解決しようとする課題】
【０００８】
従来のケーブル断線検出装置は、結果として断線が生じたことを検知することはできるが、それを予防する手段は何ら講じられていないものである。例えば、（特許文献１）のケーブル断線検出装置は、異常が生じた時に異常を検出することはできるが、異常が起きた時点においては既に手遅れで録画は中断している。
【０００９】
これに対し、（特許文献２）のケーブル断線検出装置は、停電または断線があっても内部電源を使ってカメラの録画を残すことできる。しかし、制御信号が伝送されないことが断線検出の判断材料であって、内部電源がなければ録画は中断してしまうし、カメラの録画を残す必要があればシステム全体の電源のほかに内部電源等が必要となるものであった。これによりコストは上がり、大型化する。
【００１０】
（特許文献３）のＦＰＣ止め構造は、抜け止め用突起によってＦＰＣの引き出し過ぎを防止するものであって、軸に巻き付けられたＦＰＣは、引き出し時、巻き付けと遊びを利用して所定量だけ確保される。しかしながら、（特許文献３）のＦＰＣ止め構造は、カメラ部の回転に原因するＦＰＣの信号線の断線をどのようにして防ぐのかについては一切考慮されていない。
【００１１】
このように従来のケーブル断線検出装置は、信号線のどれかが断線したことを断線後に事後的に検出するものにすぎず、可動部を有し、繰り返し回動することが避けられない電子機器に対して、信号線の断線を防ぐように構成され、予め断線を報知し、フラットケーブルの耐久性を向上させるものではなかった。
【００１２】
また、従来のＦＰＣ止め構造は、ＦＰＣを使った電子機器に対して、製造時の作業性と機器の小型化には寄与するが、回転部が繰り返し回転するために起こる信号線の断線を確実に避け、フラットケーブルの耐久性を向上させるものではなかった。
【００１３】
そこで、本発明は、フラットケーブルの耐久性を上げることができ、断線が生じる可能性を抑え、断線が生じても信号伝送が途絶えることがなく、警告することができるケーブル断線検出装置とカメラ装置、及び電子機器を提供することを目的とする。
【課題を解決するための手段】
【００１４】
上記の課題を解決するために本発明のケーブル断線検出装置は、両側端縁に隣接して配列された縁沿いの第１及び第２の配線の少なくとも一方を断線検知線とすると共にこれ以外の配線を信号線として、第１の基板と第２の基板との間を接続するフラットケーブルと、断線検知線にプルアップ電圧を印加するプルアップ電源と、断線検知線が断線したとき信号線に対する断線の警告を発することができる警告手段と、基板の少なくともいずれかに実装され、プルアップ電圧が入力信号として検知されたとき警告手段を動作させる制御部と、を備えたことを主要な特徴とする。
【発明の効果】
【００１５】
本発明によれば、フラットケーブルの耐久性を上げることができ、フラットケーブルに断線が生じる可能性を抑え、断線が生じても信号伝送が途絶えることがなく、フラットケーブルの信号線の断線が起きる可能性が発生した場合には警告をすることができる。フラットケーブルのどの線が断線したか、警告手段で報知することができ、警告も余裕のある警告と、緊急性の高い警告とに分けて報知することができる。
【発明を実施するための最良の形態】
【００１６】
本発明の請求項１に記載の発明は、両側端縁に隣接して配列された縁沿いの第１及び第２の配線の少なくとも一方を断線検知線とすると共にこれ以外の配線を信号線として、第１の基板と第２の基板との間を接続するフラットケーブルと、断線検知線にプルアップ電圧を印加するプルアップ電源と、断線検知線が断線したとき信号線に対する断線の警告を発することができる警告手段と、基板の少なくともいずれかに実装され、プルアップ電圧が入力信号として検知されたとき警告手段を動作させる制御部と、を備えたことを特徴とするケーブル断線検出装置である。この構成によって、フラットケーブルの耐久性を上げることができ、フラットケーブルに断線が生じる可能性を抑え、断線が生じても信号伝送が途絶えることがなく、フラットケーブルの信号線の断線が起きる可能性が発生した場合には警告をすることができる。
【００１７】
本発明の請求項２に記載の発明は、請求項１の形態に従属する形態であって、フラットケーブルを中継して保持するために、収容長さに遊びを持たせてフラットケーブルを収容するケーブルホルダが設けられたことを特徴とするケーブル断線検出装置であり、ケーブルホルダに収容されるフラットケーブルの収容長さに遊びがあるので、断線が起きる可能性を抑えることができる。
【００１８】
本発明の請求項３に記載の発明は、請求項１または請求項２の形態に従属する形態であって、警告手段が、第１及び第２の配線が非断線時にその旨を報知する第１の報知色を発光する第１の発光手段と、第１及び第２の配線が双方断線したときに第２の報知色を発光する第２の発光手段とを備え、第１又は第２の断線検知線が断線したときは、第１及び第２の発光手段の発光又は未発光によって第３の報知色を表示することを特徴とするケーブル断線検出装置であり、フラットケーブルのどの線が断線したか、断線警告灯で報知することができ、安全を示す報知と、やや余裕のある警告と、緊急性の高い警告とに分けて報知することができる。
【００１９】
本発明の請求項４に記載の発明は、請求項１〜請求項３のいずれかの形態に従属する形態であって、第２の基板と第３の基板との間を接続する別のフラットケーブルが設けられると共に、該別のフラットケーブルにも断線検知線と信号線が設けられ、別のフラットケーブルが第２の基板を介してフラットケーブルに接続されたことを特徴とするケーブル断線検出装置であり、基板と基板を中継して複数接続する場合にも、フラットケーブルの耐久性を上げることができ、フラットケーブルに断線が生じる可能性を抑え、断線が生じても信号伝送が途絶えることがなく、フラットケーブルの信号線の断線が起きる可能性が発生した場合には警告をすることができる。
【００２０】
本発明の請求項５に記載の発明は、撮像素子を実装した第１の基板が設けられた可動部と、第２の基板を搭載し可動部を回動自在に支持する本体部と、を備えたカメラ装置であって、第１の基板と第２の基板との間をフラットケーブルで接続し、フラットケーブルに断線検知線と信号線が設けられ、フラットケーブルの断線を検出するために第１〜第４の形態のいずれかの形態のケーブル断線検出装置が搭載されたことを特徴とするカメラ装置である。この構成により、レンズの方向を回転可能なカメラ装置であっても、フラットケーブルの耐久性をおとすことがなく、フラットケーブルに断線が生じる可能性を抑え、断線が生じても信号伝送が途絶えることがなく、フラットケーブルの信号線の断線が起きる可能性が発生した場合には警告をすることができる。
【００２１】
本発明の請求項６に記載の発明は、可動部が、第１の基板を搭載してチルト方向に回動するチルトユニットと、中継基板を搭載してチルトユニットをパン方向に回動自在に支持するパンユニットと、から構成され、第１の基板と中継基板の間が第１のフラットケーブルで接続されると共に、中継基板と第２の基板の間が第２のフラットケーブルで接続され、第１及び第２のフラットケーブルにはそれぞれ断線検知線と信号線が設けられてそれぞれ接続され、第１及び第２のフラットケーブルの断線を検出するために第１〜３のいずれかの形態のケーブル断線検出装置が搭載されたケーブル断線検出装置が搭載されたことを特徴とするカメラ装置である。この構成によって、フラットケーブルの耐久性をおとすことがなく、フラットケーブルに断線が生じる可能性を抑え、断線が生じても信号伝送が途絶えることがなく、フラットケーブルの信号線の断線が起きる可能性が発生した場合には警告をすることができる。
【００２２】
本発明の請求項７に記載の発明は、第１の基板が設けられた可動部と、第２の基板を搭載し可動部を回動自在に支持する本体部と、を備えた電子機器であって、第１の基板と第２の基板との間をフラットケーブルで接続し、フラットケーブルに断線検知線と信号線が設けられ、フラットケーブルの断線を検出するために第１〜第４の形態のいずれかの形態のケーブル断線検出装置が搭載されたことを特徴とする電子機器である。この構成により、レンズの方向を回転可能なカメラ装置であっても、フラットケーブルの耐久性をおとすことがなく、フラットケーブルに断線が生じる可能性を抑え、断線が生じても信号伝送が途絶えることがなく、フラットケーブルの信号線の断線が起きる可能性が発生した場合には警告をすることができる。
【実施例】
【００２３】
（実施例１）
本発明の実施例１におけるカメラ装置、若しくは電子機器、とくにネットワークカメラのケーブル断線検出装置について説明する。図１は本発明の実施例１のネットワークカメラにおけるシステム構成図、図２は本発明の実施例１のネットワークカメラにおける内部構造の概観斜視図、図３は本発明の実施例１のネットワークカメラにおける機能的構成図、図４は本発明の実施例１における第１フラットケーブルのケーブルホルダ装着前の折り曲げ説明図、図５は本発明の実施例１における第１フラットケーブルのケーブルホルダへの装着したときの正面図、図６は本発明の実施例１のネットワークカメラにおける第１フラットケーブルのケーブルホルダへの組立工程図、図７は本発明の実施例１のネットワークカメラにおける第２フラットケーブルをケーブルホルダへの装着したときの正面図、図８は本発明の実施例１のネットワークカメラにおける第２フラットケーブルのケーブルホルダへの組立工程図である。
【００２４】
図１において、１は撮像方向をパン、チルトの２軸方向で変更可能なネットワークカメラ（本発明のカメラ装置または電子機器）である。ここで、パンは撮像レンズ５（後述する）の光軸を水平方向に回転させる動作であり、チルトはこの光軸の仰角を回転させる動作である。
【００２５】
２はカメラ基板を搭載し一体となってチルト方向の回転が可能なチルトユニット、３はチルトユニット２を垂直な軸周りに回動自在に支持してパン方向に回転するパンユニットである。４はＣＰＵ基板を搭載してパンユニット３を回動自在に支持し、同時にパンユニット３内に収容したチルトユニット２も支持する本体ユニットである。５は撮像レンズであり、ＡＦ（ａｕｔｏｍａｔｉｃ  ｆｏｃｕｓｉｎｇ）制御を行うため合焦位置に移動可能な撮像レンズである。なお、焦点固定の撮像レンズ５であってもよい。６は以下説明するフラットケーブルのダミー配線が断線したときに警告（報知）する、また、信号線が断線する可能性があることを警告（予告）する断線警告灯（本発明の警告手段）である。
【００２６】
７はインターネットやイントラネット等のＴＣＰ／ＵＤＰ、ＩＰで通信するＩＰネットワーク、８はＩＰネットワーク７を介してネットワークカメラ１にアクセスすることができる通信端末である。
【００２７】
続いて、図２に基づいてネットワークカメラ１の内部構造について説明する。図２において、１７はチルトユニット２をチルト方向に回転させるチルトモータ、１９はパンユニット３をパン方向に回転させるパンモータである。２１は本体ユニット４の中に収容され、ＣＰＵ（中央演算処理装置）や通信制御、画像圧縮用の各種用途のプロセッサのチップ、その他これらを接続する回路を基板上に実装した本体制御部、２２はパンユニット３に搭載され、カメラ基板からの出力データを多数の信号線経由で中継し、チルトモータ１７を制御するプロセッサやその他の回路を中継基板上に実装した中継制御部である。言い換えれば本体制御部２１の物理的構造上の特徴を中心に言えばＣＰＵ基板であり、中継制御部２２は中継基板である。
【００２８】
次に、２３，２４はフラットケーブルを中央の柱状体に巻いて収容長さに遊び（自由度）を残し、パン、チルトの回転で過度の引っ張りや折り曲げを防止するケーブルホルダ、２６はチルトモータ１７の回転数を減速してチルトユニット２に伝達するベルト車、２５ａはチルトモータ１７によってベルト車２６を駆動するベルトである。同様に、２６はパンモータ１９の回転数を減速してパンユニット３に伝達するベルト車、２６ａはパンモータ１９によってベルト車２６を駆動するベルトである。
【００２９】
そして、２７はチルトユニット２のカメラ基板（図示しない）からの出力をケーブルホルダ２３経由で中継制御部２２に接続するフラットケーブル、さらに２８はケーブルホルダ２４経由で中継制御部２２と本体制御部２１の間を接続するフラットケーブルである。なお、フラットケーブル２７，２８とケーブルホルダ２３，２４の詳細については後述する。
【００３０】
次に、図３に基づいてネットワークカメラ１の機能を実行する構成について説明する。１１はチルトユニット２内に設けられたカメラ部、１２は撮像レンズ５から光を受光し被写体の撮像を行うＣＣＤあるいはＣＭＯＳ撮像素子等の光電変換を行う撮像部、１３は撮像部１３からの映像信号であるＲ，Ｇ，Ｂ信号あるいは補色信号を処理し、輝度信号Ｙと色差信号Ｃｒ，Ｃｂ信号を発生する映像信号処理部である。ＡＦ制御を行う場合は、カメラ部１１に設けられたＡＦ制御部（図示しない）によって制御される。映像信号処理部１３では、輪郭補正、γ補正処理等が行われる。
【００３１】
１４は映像信号処理部１３から出力された輝度信号Ｙと色差信号Ｃｒ，Ｃｂを所定のタイミングでキャプチャーし、これらの信号をＪＰＥＧ形式、ＭＰＥＧ形式等に圧縮する画像信号圧縮部である。映像信号処理部１３からの上記信号はフラットケーブル２７，２８経由で画像信号圧縮部１４に送信され、画像信号圧縮部１４ではこれを量子化し、符号化して出力する。１５はネットワークカメラ１のＩＰネットワーク１との間の通信を行う通信部である。
【００３２】
なお、この通信部１５はＨＴＴＰ以外のプロトコルで通信することもでき、例えばＦＴＰ、ＲＴＰ等のプロトコルによる場合はＷｅｂサーバに代えてＦＴＰサーバ、ＲＴＰサーバ等が搭載される。
【００３３】
１６はチルトユニット２の中継制御部２２に実装されたチルトモータ１７の駆動を制御するチルトモータ制御部、１８はパンユニット３の本体制御部２１に実装されたパンモータ１９の駆動を制御するパンモータ制御部である。また、２０はハードウェアとしてのＣＰＵとソフトウェアとしての制御プログラムから構成される機能実現手段であるところの中央制御部である。ＣＰＵに制御プログラムを読み込んで各機能を奏する機能実現手段を実現する。なお、図示はしないが、ＣＰＵに制御プログラムや各種データを読み込んで実行するための記憶部が設けられている。
【００３４】
さて、ここで実施例１のネットワークカメラ１のフラットケーブル２７，２８とケーブルホルダ２３，２４の詳細について説明する。
【００３５】
先ず、図４に従ってフラットケーブル２７を装着前の折り曲げ工程の説明をする。フラットケーブル２７は図４の（１）に示すように折り曲げて使用される。ここで、２７ａはフラットケーブル２７の挿入側の端部、２７ｂはフラットケーブル２７がケーブルホルダ２３内で緩く（遊びをもって）重ね巻きされる中央部、２７ｃはフラットケーブル２７のカメラ基板側の端部である。この中央部２７ｂは、ケーブルホルダ２３に挿入される端部２７ａから略一幅分だけ段違い状態でずれた位置にステップ状に屈曲され、その後平行して延長された状態が続き、端部２７ｃに至って最初の屈曲方向と反対方向（１８０°）へ直角に屈曲されて構成される。
【００３６】
ここで、本発明の実施例１のネットワークカメラ１は、チルトユニット２、パンユニット３がそれぞれ繰り返し上下、左右に回転させられ、これによってフラットケーブル２７に対する引っ張りと折り曲げが何度も繰返される。このため、フラットケーブル２７、とくに緩んだり屈曲されたりする中央部２７ｂの信号線には、断線しないように次のような構成が設けられている。
【００３７】
すなわち、図４の拡大図に示す２７ｄは、フラットケーブル２７の側端縁（横幅方向の端）のエッジであり、２７ｅはフラットケーブル２７に設けられた複数の信号線のうち、両エッジ２７ｄ（両側端縁）に隣接して設けられた配線を、信号線としてでなく、ダミーの未使用配線として断線検出のために使用する断線検知線である。従って、この断線検知線２７ｅ以外の配線を信号線として使用可能になる。
【００３８】
この断線検知線２７ｅの配置は本発明者の次のような知見による。すなわち、本発明者はネットワークカメラ１のフラットケーブル２７を緩めたり絞めたりする実験を繰り返し、フラットケーブル２７の信号線は全ての信号線が同一の確率で断線するのではなく、両側のエッジ２７ｄに隣接した配線が最初に、すなわちエッジ２７ｄ（両側端縁）に隣接して設けられた縁沿い（直近）の配線が最初に断線し、その断線発生の確率がきわめて高い、ということを発見した。
【００３９】
両側端縁の配線が断線するというのは、フラットケーブル２７のエッジ２７ｄ付近が固定されたケースやその他の部分と擦り合うのが原因であり、これによりエッジ２７ｄで傷が入り易くなり、また、エッジ２７に傷が入るとそこから内部へ影響が出て断線する。
【００４０】
さらに、フラットケーブル２７の構造からみても、フラットケーブル２７に対するねじりや力、曲げを受け、最も大きな応力集中、テンションを受けるのは信号線の両端縁付近に部分であり、それ故にエッジ２７ｄに隣接した信号線から断線すると考えられる。従って、本発明においては、両側縁のエッジ２７ｄに隣接した配線をダミーとし、これを断線検知線２７ｅとして使用して、断線を警告、予告するために使用している。詳細は後述する。
【００４１】
さて、以上説明したようにフラットケーブル２７は、折り曲げた後、この状態から図４の（２）のように、中央部２７ｂの横幅の中央で折り曲げ、（３）に示すように端部２７ｃを（２）で折り曲げたと同一方向へ折り曲げて中央部２７ｂ端上に重ねる。Ｌ字状に折り重なる。なお、実施例１においては、図４の（１）に示すように中央部２７ｂの中央に折りまげを容易にする切れ目が設けられている。その後、さらにこの端部２７ｃだけを重ねた部分を長手方向に反転して折り曲げ、重ねる。これによって、ケーブルホルダ２３に装着するフラットケーブル２７が完成する。なお、上述の中央部２７ｂの切り目、あるいはこれを利用した折り曲げは必ずしも必要でなく、場合によっては省略することができる。また、一方の側端縁のエッジ２７ｄに隣接する配線がエッジ２７ｄからかなり離れたような場合には、断線検知線２７ｅは１本でもよい。
【００４２】
続いて、このようにして得られたフラットケーブル２７をケーブルホルダ２３に装着した状態と組立工程を図５、図６に示す。図５、図６において、２３ａはケーブルホルダ２３の中央に巻回用の柱状体が立設されリング状の窪みを備えたケーブル巻回体、２３ｂはこの巻回用の柱状体である芯体、２３ｃはフラットケーブル２７の挿入側の端部２７ａをケーブルホルダ２３から取り出す取り出し口、２３ｄはフラットケーブル２７を巻回した状態でケーブル巻回体２３ａを覆う蓋部である。
【００４３】
図６に基づいて、フラットケーブル２７のケーブルホルダ２３へ装着する組立について説明する。図５の説明で折り曲げられたフラットケーブル２７を取り出し口２３ｃに挿入して引き出し、中央部２７ｂを端部２７ａとの屈曲部で９０°折り曲げて芯体２３ｂの軸方向に立て、この中央部２７ｂのケーブルを芯体２３ｂの周りに周回させる。遊びのある緩く巻いた状態で複数回芯体２３ｂを巻回してから中央部２７ｂと端部２７ｃの屈曲部で９０°再び折り曲げ、蓋体２３ｄの開口から引き出して組立が完成する。
【００４４】
以上は、フラットケーブル２７とケーブルホルダ２３の組立の説明であるが、パンユニット３を回動自在に支持する本体ユニット４とパンユニット３との間を接続するフラットケーブル２８とケーブルホルダ２４の組立も同様に行う。以下、このフラットケーブル２８の構成とその組立工程について説明する。
【００４５】
フラットケーブル２８もフラットケーブル２７と中央部を挟んで同様に予め折り曲げておく。図７に示す２８ａはフラットケーブル２７の挿入側の端部、２８ｂはケーブルホルダ２３内で緩く遊びをもって重ね巻きされる中央部、２８ｃはフラットケーブル２８の中継制御部２２に接続される側の端部である。すなわち、フラットケーブル２８も挿入側の端部２８ａと遊びをもたされる中央部２８ｂ、端部２８ｃから構成される。
【００４６】
このフラットケーブル２８をケーブルホルダ２４に装着した状態とモータ１９を組み込む組立工程を図７、図８に示す。図７において、２４ａはケーブルホルダ２４の中央に柱状体が立設され、フラットケーブル２８を収容するリング状の窪みを備え、外周がベルト車２６となるケーブル巻回体、２４ｂはこのフラットケーブル２８巻回用の柱状体である芯体、２４ｃはケーブル巻回体２４ａを回動自在に取り付ける取り付け板、２４ｄはフラットケーブル２８を巻回した状態でケーブル巻回体２４ａを覆う蓋部である。
【００４７】
図７、図８に基づいて、フラットケーブル２８をケーブルホルダ２４へ装着し、モータ１９を組み込む組立について説明する。先ず、図７でフラットケーブル２８をケーブルホルダ２４に挿通した組立体を組み立てるＡ部品の説明を行う。フラットケーブル２８のケーブル巻回体２４ａからの取り出し口（図示しない）と取り付け板２４ｃの開口の位置を一致させて、取り付け板２４ｃとケーブル巻回体２４ａを回転自在に取り付ける。この取り出し口にフラットケーブル２８を挿入して取り付け板２４ｃの開口から引き出す。
【００４８】
この状態で中央部２８ｂを端部２８ａとの屈曲部で９０°折り曲げ、中央部２８ｂを芯体２４ｂの周りに周回させる。遊びのある収容長さで複数回芯体２３ｂを巻回してから中央部２８ｂと端部２８ｃの屈曲部で９０°折り曲げ、蓋体２４ｄの開口から係止部（図示しない）を介して引き出して組立が完成する。
【００４９】
次に、パンモータ１９を取り付け板２４ｃに組み込む工程について説明する。図７で説明したフラットケーブル２８をケーブルホルダ２４に挿通したＡ部品のケーブル巻回体２４ａをベルト車２６とし、その外周にベルト２６ａを掛けて、取り付け板２４ｃの背面に取り付けられたパンモータ１９の軸のベルト車（図示しない）に張架する。これにより、パンモータ１９の回転は減速されベルト２６ａを介してケーブルホルダ２４に伝達され、ケーブルホルダ２４の蓋部２４ｄが取り付けられたパンユニット３をパン方向に回転することが可能になる。
【００５０】
さて、本発明の実施例１は、フラットケーブル２７の配線が断線しないような構成を有しており、両側縁のエッジ２７ｄに隣接した配線を断線検知線２７ｅ，２７ｅとして使用し、信号線として利用する配線が断線が起こるのを警告するために使用している。以下、図９（ａ），（ｂ），（ｃ）、図１０（ａ），（ｂ）、図１１（ａ），（ｂ）、図１２（ａ），（ｂ）、図１３（ａ），（ｂ）に基づいて、実施例１の断線検知と断線の警告について説明する。
【００５１】
図９（ａ）は本発明の実施例１のネットワークカメラにおけるケーブル断線検出装置を１枚のフラットケーブルの２配線で１個の断線検知回路とする構成図、図９（ｂ）は本発明の実施例１のネットワークカメラにおけるケーブル断線検出装置を１枚のフラットケーブルの２配線で２個の断線検知回路とする構成図、図９（ｃ）は断線検知線の拡大図、図１０（ａ）は本発明の実施例１のネットワークカメラにおけるケーブル断線検出装置を２枚のフラットケーブルとそれぞれの２配線で１個の断線検知回路とする構成図、図１０（ｂ）は本発明の実施例１のネットワークカメラにおけるケーブル断線検出装置を２枚のフラットケーブルで２個の断線検知回路とする構成図、図１１（ａ）は本発明の実施例１のネットワークカメラにおけるケーブル断線検出装置を２枚のフラットケーブルで４個の断線検知回路とする第１の構成図、図１１（ｂ）は本発明の実施例１のネットワークカメラにおけるケーブル断線検出装置を２枚のフラットケーブルで４個の断線検知回路とする第２の構成図、図１２（ａ）は本発明の実施例１のネットワークカメラにおけるケーブル断線検出装置を１枚のフラットケーブルと論理回路を使ってＬＥＤを点灯するときの断線検知回路の詳細構成図、図１２（ｂ）は動作の説明図、図１３（ａ）は本発明の実施例１のネットワークカメラにおけるケーブル断線検出装置を１枚のフラットケーブルとＣＰＵを使ってＬＥＤを点灯するときの２本の断線検知回路の詳細構成図、図１３（ｂ）は動作の説明図である。
【００５２】
図９〜図１３に基づいて実施例１のネットワークカメラ１におけるケーブル断線検出装置の説明を行う。図９〜図１３、とくに図９（ｃ）に示すように、２８ｄはフラットケーブル２８の両側縁のエッジであり、２８ｅはフラットケーブル２８に設けられた複数の配線の中で、両エッジ２８ｄのそれぞれに最も隣接する配線を断線検出用に使用した第１の断線検知線である。２８ｆはこの第１の断線検知線２８ｅに隣接する直近の第２の断線検知線である。第１の断線検知線２８ｅと第２の断線検知線２８ｆとは、両エッジ２８ｄ近くのそれぞれ２本ずつの配線であり、以下説明するどのような回路で断線を検出し、断線の警告、信号線の断線の予告を行うかによって、この４本のうちのどの信号線（１本〜４本）を使うかが決定される。なお、一方のエッジ２８ｄに隣接する配線がエッジ２８ｄからかなり離れたような場合には、第１の断線検知線２８ｅ、第２の断線検知線２８ｆはそれぞれ１本ずつでもよい。また、第１の断線検知線２８ｅだけでもよい場合もある。なお、この場合、図９（ｂ）、図１０（ｂ）、図１１（ａ）、図１３（ｂ）のような断線検知回路を利用することになる。
【００５３】
そして、実施例１のネットワークカメラ１は、エッジ２８ｄ近くの少なくとも２本の配線をダミーとして断線検知のために使用し、信号伝送のための信号線として使用しないから、ネットワークカメラ１をパン、チルトして繰り返しフラットケーブル２８を緩めたり曲げたりしても、断線によって信号伝送できなくなることはなく、逆に、断線の発生に対する知見に基づいて、少なくとも２本の配線を利用して断線検知と警告をすることができる。
【００５４】
図９（ａ）は１枚のフラットケーブル２８の２配線を使って１個の断線検知回路を構成するものである。両エッジ２８ｄ近くの２本の第１の断線検知線２８ｅは中継制御部２２で結線され、一方の第１の断線検知線２８ｅは本体制御部２１内で抵抗を介してプルアップ電源に接続されて、プルアップ電圧ＶDが印加されて中央制御部２０の入力ポートに接続される。また、他方の第１の断線検知線２８ｅは本体制御部２１内で接地され、中継制御部２２で接地されている。従って、２本の第１の断線検知線２８ｅがループ状に結線された図９（ａ）の断線検知回路のどこかが断線したときには、接地により正常時には中央制御部２０の入力ポートにＬレベルの信号が入力されているが、断線によりプルアップ電圧ＶDの作用でＨレベルの信号が入力され、中央制御部２０によって本体ユニット４に設けられたＬＥＤ等の断線警告灯６が点灯される。
【００５５】
次に、図９（ｂ）は１枚のフラットケーブル２８の２配線を使って２個の断線検知回路を構成するものである。両エッジ２８ｄ近くの２本の第１の断線検知線２８ｅはそれぞれの一端が中継制御部２２内で接地される。また、２本の第１の断線検知線２８ｅの他端はそれぞれ本体制御部２１内でプルアップ電圧ＶDが印加され、それぞれ中央制御部２０の入力ポートに接続される。これにより、正常時には接地により中央制御部２０の入力ポートにＬレベルの信号が入力されているが、図９（ｂ）の２個の断線検知回路のどちらかが断線したときには、プルアップ電圧ＶDによってＨレベルの信号が入力され、中央制御部２０によって断線警告灯６が点灯される。これにより、２本のうちのどちらが断線したことの判別が可能になる。勿論、双方が断線したときは両方が点灯する。
【００５６】
続いて、図１０（ａ）は２枚のフラットケーブル２７，２８とそれぞれのエッジ２７ｄ，２８ｄ傍の未使用の２配線を接続し、カメラ部１１のカメラ基板で結線し、中継制御部２２でフラットケーブル２７，２８を接続して、１個のループ状の断線検知回路としたものである。従って、２本の断線検知線２７ｅが結線され、２本の第１の断線検知線２８ｅと接続された図９（ｂ）の断線検知回路のどこかが断線したときには、接地により正常時には中央制御部２０の入力ポートにＬレベルの信号が入力されているが、断線によりプルアップ電圧ＶDの作用でＨレベルの信号が入力され、中央制御部２０によって断線警告灯６が点灯される。
【００５７】
また、図１０（ｂ）は２枚のフラットケーブル２７，２８を使って２個の断線検知回路を構成する場合である。フラットケーブル２７の２本の断線検知線２７ｅはそれぞれプルアップ電源のプルアップ電圧ＶDに抵抗を介して接続されて中央制御部２０の入力ポートに接続され、さらに中継制御部２２を介してフラットケーブル２７の２本の断線検知線２７ｅと接続され、最終的にカメラ部１１のカメラ基板でそれぞれ接地される。これにより、正常時には中央制御部２０の入力ポートにＬレベルの信号が入力されるが、断線するとＨレベルの信号が入力される。これにより、２本のうちのどちらが断線したことが判別できる。
【００５８】
続いて、図１１（ａ）は２枚のフラットケーブル２７，２８を使って４個の断線検知回路を構成する場合である。フラットケーブル２８の２本の第１の断線検知線２８ｅは一方の端部が中継制御部２２において接地され、他方の端部がそれぞれ本体制御部２１内でプルアップ電圧ＶＤが印加され、それぞれ中央制御部２０の入力ポートに接続される。これにより、正常時には中央制御部２０の入力ポートにＬレベルの信号が入力されているが、フラットケーブル２８が断線するとプルアップ電圧ＶDによってＨレベルの信号が入力され、中央制御部２０によって断線警告灯６が点灯される。
【００５９】
同様に、第１の断線検知線２８ｅの内側でこれに隣接した直近の２本の第２の断線検知線２８ｆは、それぞれ本体制御部２１内でプルアップ電圧ＶDが印加され、それぞれ中央制御部２０の入力ポートに接続される。さらに、この２本の第２の断線検知線２８ｆは中継制御部２２を介してフラットケーブル２７の２本の断線検知線２７ｅと接続され、さらにカメラ部１１のカメラ基板において接地される。これにより、正常時には中央制御部２０の入力ポートにＬレベルの信号が入力されるが、断線するとＨレベルの信号が入力される。これにより、４個の断線検知回路のどれが断線したか、直ちに判別できる。
【００６０】
また、図１１（ｂ）は２枚のフラットケーブル２７，２８を使って４個の断線検知回路を構成する別の場合である。３０はＯＲを演算するＯＲ回路である。フラットケーブル２８の２本の第１の断線検知線２８ｅは１本の一方の端部が本体制御部２１においてＯＲ回路３０に接続されると共にプルアップ電源のプルアップ電圧ＶDに抵抗を介して接続され、他方の端部が中継制御部２２内で接地される。同様に他の１本が、本体制御部２１においてＯＲ回路３０に接続されると共にプルアップ電源のプルアップ電圧ＶDに抵抗を介して接続され、他方の端部が中継制御部２２内で接地される。そして、ＯＲ回路３０の出力は、本体制御部２１の中央制御部２０の入力ポートに出力される。これにより、ＯＲ回路３０を使うが、正常時には中央制御部２０の入力ポートにＬレベルの信号が入力されるが、断線するとＨレベルの信号が入力される。
【００６１】
そして、フラットケーブル２７の２本の断線検知線２７ｅは、それぞれ、カメラ部１１において接地され、中継制御部２２のプルアップ電源に接続されてＯＲ回路２９に接続される。ＯＲ回路２９では２本の断線検知線２７ｅのＯＲをとって上記第２の断線検知線２８ｆにこの結果を出力し、本体制御部２１の中央制御部２０の入力ポートに出力される。これにより、ＯＲ回路２９を使うが、正常時には中央制御部２０の入力ポートにＬレベルの信号が入力されるが、断線するとＨレベルの信号が入力される。これにより、４個の断線検知回路のどれが断線したか、直ちに判別できるようになり、中央制御部２０によって断線警告灯６が点灯される。
【００６２】
続いて、中央制御部２０によって中継制御部２２が搭載されたパンユニット３に設けられた断線警告灯６を点灯する場合の説明を行う。図１２（ａ）において、３１は一方の入力が反転されてＯＲを演算する論理回路、３２は断線警告灯６を１つのランプとして構成された一対のＬＥＤＱ1，Ｑ2である。ＬＥＤＱ1のベースはＰＯＲＴ１に接続され、ＬＥＤＱ2のベースはＰＯＲＴ２に接続される。ＬＥＤＱ1はＯＮすると緑色（本発明の第１の報知色）に発光し、ＬＥＤＱ2はＯＮすると赤色（本発明の第２の報知色）に発光する。従って、ＬＥＤＱ1，Ｑ2３２の両者がＯＮすると断線警告灯６はオレンジ色（本発明の第３の報知）に発光することになる。なお、本発明の第３の報知による表示には、このオレンジ色に発光する場合のほかに、以下説明する消灯した場合も含まれる。
【００６３】
ＬＥＤＱ1のベースは接地され、フラットケーブル２８の第１の断線検知線２８ｅ経由で中央制御部２０の出力ポートへ接続されると共に論理回路３１の反転入力端に入力される。また、ＬＥＤＱ2のベースは抵抗を介してプルアップ電圧ＶDに接続され、フラットケーブル２８の第１の断線検知線２８ｅ経由で中央制御部２０の第２の出力ポートへ接続されると共に論理回路３１の他方の入力端に入力される。論理回路３１の出力端は中央制御部２０の入力ポートへ接続される。
【００６４】
従って、正常時には中央制御部２０の制御によって、ＰＯＲＴ１をＨレベル、ＰＯＲＴ２をＬレベルに制御することにより、図１２（ｂ）に示すようにＬＥＤＱ1はＯＮし、ＬＥＤＱ2はＯＦＦする。これは断線警告灯６が緑色に点灯されることを意味する。そして、この状態は論理回路３１を介してＬレベルの信号を中央制御部２０の入力ポートにフィードバックされる。
【００６５】
これに対し、断線が生じたとき、例えばＰＯＲＴ１の側の断線検知線２７ｅが断線したときには、ＰＯＲＴ１はＬレベルになり、ＰＯＲＴ２もＬレベルであるから、図１２（ｂ）に示すようにＬＥＤＱ1，Ｑ2３２はＯＦＦし、断線警告灯６は消灯する。また、ＰＯＲＴ２の側の断線検知線２７ｅが断線したときには、ＰＯＲＴ２はＨレベルになり、ＰＯＲＴ２もＨレベルであるから、図１２（ｂ）の真理表から分かるようにＬＥＤＱ1，Ｑ2３２共にＯＮし、オレンジ色（本発明の混合色）となる。断線警告灯６が消灯したり、オレンジ色に変化したりした場合には、フラットケーブル２８の信号伝送に問題はないが、断線検知線２７ｅが断線したことを表示するもので、信号線の断線の発生を警告することになる。このとき、論理回路３１の出力端はＨレベルの信号を中央制御部２０の入力ポートへ接続される。
【００６６】
そして、ＰＯＲＴ１，２の両方の断線検知線２７ｅが断線したときには、ＰＯＲＴ１はＬレベルになり、ＰＯＲＴ２はＨレベルになる。このとき、ＬＥＤＱ1はＯＦＦし、ＬＥＤＱ2はＯＮする。このとき断線警告灯６は赤色に点灯し、高レベルで信号線の断線の発生を警告することになる。なお、このとき論理回路３１の出力端はＨレベルの信号を中央制御部２０の入力ポートへ接続される。
【００６７】
次に、図１３（ａ）に基づいて、１枚のフラットケーブル２８と中央制御部２０の入出力ポートを使ってＬＥＤを点灯するときの断線検知回路を説明する。図１２（ａ）の断線検知回路では中央制御部２０の入力ポート１個と出力ポート２個、さらに論理回路３１を使ったが、図１３（ａ）に示す場合は中央制御部２０の入出力ポートを利用するものである。図１３（ａ）において、３３，３４は同一ポートを使って入力と出力のいずれもが可能な中央制御部２０の入出力ポートである。
【００６８】
フラットケーブル２８の２本の第１の断線検知線２８ｅは、１本の一方の端部が中継制御部２２において第１の抵抗を介してプルアップ電源に接続され、他方の端部が本体制御部２１で第２の抵抗を介して接地される。さらにこの他方の端部が本体制御部２１内において中央制御部２０の入出力ポート３３に接続され、前記一方の端部は中継制御部２２内の一対のＬＥＤＱ1，Ｑ2３２のＬＥＤＱ2に接続される。そして、２本の第１の断線検知線２８ｅの他方は、中継制御部２２において第１の抵抗を介して接地された側が、逆に本体制御部２１で第２の抵抗を介してプルアップ電源に接続され、さらにこの端部は本体制御部２１内の中央制御部２０の入出力ポート３４に接続され、反対側の端部が中継制御部２２内においてＬＥＤＱ1に接続される。一対のＬＥＤＱ1，Ｑ2３２は図１２（ａ）と同様の構成であるから、説明は省略する。第２の抵抗は第１の抵抗よりきわめて大きな抵抗値が与えられ、第２の抵抗と第１の抵抗の関係から第１の断線検知線２８ｅの分圧は高く設定されている。
【００６９】
通常状態では、この２本の第１の断線検知線２８ｅは、中央制御部２０の制御により出力ポートに設定されており、それぞれＰＯＲＴ１をＨレベル、ＰＯＲＴ２をＬレベルで出力する。正常時には、断線警告灯６は緑に点灯される。中央制御部２０は、これらの第１の断線検知線２８ｅが断線していないかどうかを確認するために、定期的、例えば１時間おきに、この２本の第１の断線検知線２８ｅは、中央制御部２０により入力ポートに切り換えられ、中央制御部２０はそれぞれのポートの値を読み取る。第２の抵抗は第１の抵抗より格段に大きな抵抗値が与えられているため、正常時には、ＰＯＲＴ１はＬレベル、ＰＯＲＴ２はＨレベルが読み取られることになる。
【００７０】
これに対し、断線が生じたとき、例えばＰＯＲＴ１の側の第１の断線検知線２８ｅが断線したときには、ＬＥＤＱ1のベース電圧は、Ｌレベルになる。図１３（ｂ）に示すようにＬＥＤＱ1，Ｑ2３２はＯＦＦし、断線警告灯６は消灯する。このとき、中央制御部２０は、定期的、例えば１時間おきに、この２本の第１の断線検知線２８ｅを入力ポートに切り換え、それぞれＰＯＲＴ１はＨレベル、ＰＯＲＴ２はＨレベルを読み取ることにより、ＰＯＲＴ１側の断線を検出することができる。また、ＰＯＲＴ２の側の第１の断線検知線２８ｅが断線したときには、ＬＥＤＱ2のベース電圧はＨレベルになり、図１３（ｂ）の真理表から分かるようにＬＥＤＱ1，Ｑ2３２共にＯＮし、オレンジ色（本発明の混合色）となる。このとき、同様に中央制御部２０は、定期的、例えば１時間おきに、この２本の第１の断線検知線２８ｅを入力ポートに切り換え、それぞれＰＯＲＴ１はＬレベル、ＰＯＲＴ２はＬレベルを読み取ることにより、ＰＯＲＴ２側の断線を検出することができる。断線警告灯６が未点灯、オレンジ色となるのはやや余裕のある断線の警告をするものとなる。
【００７１】
そして、ＰＯＲＴ１，２の両方の第１の断線検知線２８ｅが断線したときにも、ＬＥＤＱ1及びＬＥＤＱ2のベース電圧は、それぞれＬレベル、Ｈレベルになる。図１３（ｂ）の真理表から分かるようにＬＥＤＱ1はＯＦＦし、ＬＥＤＱ2はＯＮする。このとき断線警告灯６は赤色に点灯し、高レベルで信号線の断線の発生を警告することになる。そして中央制御部２０は、定期的、例えば１時間おきに、この２本の第１の断線検知線２８ｅを入力ポートに切り換え、それぞれＰＯＲＴ１はＨレベル、ＰＯＲＴ２はＬレベルを読み取ることにより、両ＰＯＲＴの断線を検出することができる。
【００７２】
このように本発明の実施例１におけるネットワークカメラのケーブル断線検出装置は、フラットケーブルの耐久性を上げることができ、フラットケーブルに断線が生じる可能性を抑え、断線が生じても信号伝送が途絶えることがなく、フラットケーブルの信号線の断線が起きる可能性が発生した場合には警告をすることができる。
【００７３】
また、フラットケーブルのどの線が断線したか、断線警告灯で報知することができ、警告も余裕のある警告と、緊急性の高い警告とに分けて報知することができる。
【産業上の利用可能性】
【００７４】
本発明は、フラットケーブルの耐久性を上げることができ、断線の警告することができるケーブル断線検出装置、及びこのケーブル断線検出装置を搭載したカメラ装置、電子機器に適用できる。
【図面の簡単な説明】
【００７５】
【図１】本発明の実施例１のネットワークカメラにおけるシステム構成図
【図２】本発明の実施例１のネットワークカメラにおける内部構造の概観斜視図
【図３】本発明の実施例１のネットワークカメラにおける機能的構成図
【図４】本発明の実施例１における第１フラットケーブルのケーブルホルダ装着前の折り曲げ説明図
【図５】本発明の実施例１における第１フラットケーブルのケーブルホルダへの装着したときの正面図
【図６】本発明の実施例１のネットワークカメラにおける第１フラットケーブルのケーブルホルダへの組立工程図
【図７】本発明の実施例１のネットワークカメラにおける第２フラットケーブルをケーブルホルダへの装着したときの正面図
【図８】本発明の実施例１のネットワークカメラにおける第２フラットケーブルのケーブルホルダへの組立工程図
【図９】（ａ）本発明の実施例１のネットワークカメラにおけるケーブル断線検出装置を１枚のフラットケーブルの２配線で１個の断線検知回路とする構成図、（ｂ）本発明の実施例１のネットワークカメラにおけるケーブル断線検出装置を１枚のフラットケーブルの２配線で２個の断線検知回路とする構成図、（ｃ）断線検知線の拡大図
【図１０】（ａ）本発明の実施例１のネットワークカメラにおけるケーブル断線検出装置を２枚のフラットケーブルと各２配線で１個の断線検知回路とする構成図、（ｂ）本発明の実施例１のネットワークカメラにおけるケーブル断線検出装置を２枚のフラットケーブルで２個の断線検知回路とする構成図
【図１１】（ａ）本発明の実施例１のネットワークカメラにおけるケーブル断線検出装置を２枚のフラットケーブルで４個の断線検知回路とする第１の構成図、（ｂ）本発明の実施例１のネットワークカメラにおけるケーブル断線検出装置を２枚のフラットケーブルで４個の断線検知回路とする第２の構成図
【図１２】（ａ）本発明の実施例１のネットワークカメラにおけるケーブル断線検出装置を１枚のフラットケーブルと論理回路を使ってＬＥＤを点灯するときの断線検知回路の詳細構成図、（ｂ）動作の説明図
【図１３】（ａ）本発明の実施例１のネットワークカメラにおけるケーブル断線検出装置を１枚のフラットケーブルとＣＰＵを使ってＬＥＤを点灯するときの２本の断線検知回路の詳細構成図、（ｂ）動作の説明図
【符号の説明】
【００７６】
１    ネットワークカメラ
２    チルトユニット
３    パンユニット
４    本体ユニット
５    撮像レンズ
６    断線警告灯
７    ＩＰネットワーク
８    通信端末
１１    カメラ部
１２    撮像部
１３    映像信号処理部
１４    画像信号圧縮部
１５    通信部
１６    チルトモータ制御部
１７    チルトモータ
１８    パンモータ制御部
１９    パンモータ
２０    中央制御部（ＣＰＵ）
２１    本体制御部
２２    中継制御部
２３    ケーブルホルダ
２３ａ    ケーブル巻回体
２３ｂ    芯体
２３ｃ    取り出し口
２３ｄ    蓋部
２４    ケーブルホルダ
２４ａ    ケーブル巻回体
２４ｂ    芯体
２４ｃ    取り付け板
２４ｄ    蓋部
２５    通信制御部
２５ａ    ベルト
２６    ベルト車
２６ａ    ベルト
２７    フラットケーブル
２７ａ    端部
２７ｂ    中央部
２７ｃ    端部
２７ｄ    エッジ
２７ｅ    断線検知線
２８    フラットケーブル
２８ａ    端部
２８ｂ    中央部
２８ｃ    端部
２８ｄ    エッジ
２８ｅ    第１の断線検知線
２８ｆ    第２の断線検知線
３０    ＯＲ回路
３１    論理回路
３２    ＬＥＤＱ1，Ｑ2
【図１】
2007281575.tif 000003
【図２】
2007281575.tif 000004
【図３】
2007281575.tif 000005
【図４】
2007281575.tif 000006
【図５】
2007281575.tif 000007
【図６】
2007281575.tif 000008
【図７】
2007281575.tif 000009
【図８】
2007281575.tif 000010
【図９】
2007281575.tif 000011
【図１０】
2007281575.tif 000012
【図１１】
2007281575.tif 000013
【図１２】
2007281575.tif 000014
【図１３】
2007281575.tif 000015